(57)【要約】【課題】測定作業において、測定時間を短縮可能な測定支援システムを提供すること。【解決手段】測定支援システム１００は、距離に関する測定を行う電子メジャー本体３１と、電子メジャー本体３１の測定値を決定する測定決定部３２と、測定値を表示するヘッドマウントディスプレイ本体４０と、決定した測定値を測定した測定場所を撮像する表示撮像部４２と、表示撮像部４２で撮像された撮像画像を、測定値及び測定場所を含む測定データとして保存する記憶部とを備える。【選択図】図１
2019045285.tif 000002
【特許請求の範囲】
【請求項１】
距離に関する測定を行う電子メジャー本体と、
前記電子メジャー本体の測定値を決定する測定決定部と、
前記測定値を表示するヘッドマウントディスプレイ本体と、
決定した前記測定値を測定した測定場所を撮像する表示撮像部と、
前記表示撮像部で撮像された撮像画像を、前記測定値及び前記測定場所を含む測定データとして保存する記憶部と、
を備えることを特徴とする測定支援システム。
【請求項２】
サーバー通信部を介して前記測定データを受信するサーバー装置をさらに備えることを特徴とする請求項１に記載の測定支援システム。
【請求項３】
前記記憶部は、前記ヘッドアップディスプレイ本体及び前記サーバー装置の少なくともいずれか一方に設けられることを特徴とする請求項１及び２のいずれか一項に記載の測定支援システム。
【請求項４】
前記記憶部は、測定の手順を含む測定支援情報を保存することを特徴とする請求項１から３までのいずれか一項に記載の測定支援システム。
【請求項５】
前記測定支援情報に基づき、前記ヘッドマウントディスプレイ本体に、測定する順番を含む作業指示を表示することを特徴とする請求項４に記載の測定支援システム。
【請求項６】
前記ヘッドマウントディスプレイ本体に前記測定値に対応する前記撮像画像を表示することを特徴とする請求項１から５までのいずれか一項に記載の測定支援システム。
【請求項７】
前記ヘッドマウントディスプレイ本体は、表示に際して外光の透視を可能にする光透過性の表示部を有することを特徴とする請求項１から６までのいずれか一項に記載の測定支援システム。
【請求項８】
前記測定決定部は、メカニカルスイッチ、静電容量スイッチ、音声スイッチ、及びジェスチャースイッチのいずれかであることを特徴とする請求項１から７までのいずれか一項に記載の測定支援システム。
【請求項９】
前記撮像画像は、前記測定値の決定前からの画像を含むことを特徴とする請求項１から８までのいずれか一項に記載の測定支援システム。
【発明の詳細な説明】
【技術分野】
【０００１】
本発明は、電子メジャーを用いる測定支援システムに関する。
【背景技術】
【０００２】
近年、不自然なしわやバランスの違和感がなく、体の曲線に沿って作製できるオーダーメードスーツの人気が高まっている。ここで、より着心地の良い服を作製しようとすると、仕立ての際に、体の部位の測定作業が必要となるが、回り寸法、幅寸法、丈寸法等のように、測定箇所は数１０か所となり、非常に時間がかかるという問題がある。また、被測定者が立った状態で測定するため、測定に時間を要する場合、例えば足腰が悪い被測定者に対して非常に負担をかけることになるという問題がある。
【０００３】
被測定物又は被測定者を効率的に測定する手段として、巻尺と、寸法算出部と、寸法算出部が算出した寸法を外部に無線送信する無線通信部とを有する寸法測定装置がある（例えば、特許文献１参照）。また、測定装置による測定によって得られる測定データをヘッドマウントディスプレイ（ＨＭＤ：Head Mounted Display）に送信する測定補助装置がある（例えば、特許文献２参照）。しかしながら、特許文献１及び２の装置は、実際の測定作業の効率を大きく向上させるものではない。
【先行技術文献】
【特許文献】
【０００４】
【特許文献１】特開２０１７−２６３８９号公報
【特許文献２】特開２００３−２８６７５号公報
【発明の概要】
【０００５】
本発明は、上記背景技術に鑑みてなされたものであり、測定作業において、測定時間を短縮可能な測定支援システムを提供することを目的とする。
【０００６】
上記目的を達成するため、本発明に係る測定支援システムは、距離に関する測定を行う電子メジャー本体と、電子メジャー本体の測定値を決定する測定決定部と、測定値を表示するヘッドマウントディスプレイ本体（以下、ＨＭＤという）と、決定した測定値を測定した測定場所を撮像する表示撮像部と、表示撮像部で撮像された撮像画像を、測定値及び測定場所を含む測定データとして保存する記憶部とを備える。
【０００７】
上記測定支援システムでは、測定作業の測定値がＨＭＤに表示されることにより、測定者が細かい目盛りを見ることから解放される。また、ＨＭＤを利用することにより、両手を使用することができ、また、測定場所から視線を外さず測定することができる。また、決定した測定値とともに、その測定場所が撮像されることで適切な作業記録を残すことができる。以上のことにより、測定時の作業効率が上がり、延いては被測定者の拘束時間を減らすことができる。
【０００８】
本発明の具体的な側面では、上記測定支援システムにおいて、サーバー通信部を介して測定データを受信するサーバー装置をさらに備える。この場合、サーバー装置側で測定データを効率良く処理することができる。
【０００９】
本発明の別の側面では、記憶部は、ヘッドアップディスプレイ本体及びサーバー装置の少なくともいずれか一方に設けられる。ＨＭＤ及びサーバー装置の双方に測定データを保存する記憶部を設けた場合、ＨＭＤの記憶部に測定データを一時保存して、サーバー装置に転送してもよい。
【００１０】
本発明の別の側面では、記憶部は、測定の手順を含む測定支援情報を保存する。この場合、測定者の作業負担を軽減することができる。
【００１１】
本発明のさらに別の側面では、測定支援情報に基づき、ヘッドマウントディスプレイ本体に測定する順番を含む作業指示を表示する。この場合、作業指示により測定忘れ等がなくなり、測定に不慣れな測定者でも規定の測定作業をすることができる。
【００１２】
本発明のさらに別の側面では、ヘッドマウントディスプレイ本体に測定値に対応する撮像画像を表示する。この場合、撮像画像をリアルタイムで確認することができ、保存する画像に不具合が存在しないか確認することができる。
【００１３】
本発明のさらに別の側面では、ヘッドマウントディスプレイ本体は、表示に際して外光の透視を可能にする光透過性の表示部を有する。この場合、測定者の視界を損なわずに、ＨＭＤに測定値等を表示させつつ測定作業を行うことができる。
【００１４】
本発明のさらに別の側面では、測定決定部は、メカニカルスイッチ、静電容量スイッチ、音声スイッチ、及びジェスチャースイッチのいずれかである。この場合、測定決定部のスイッチ機能を利用することで両手を使って効率良く測定作業を行うことができる。
【００１５】
本発明のさらに別の側面では、撮像画像は、測定値の決定前からの画像を含む。ここで、測定値の決定前の画像とは、決定前の画像全般であり、測定時の画像よりも広い視野の画像や被測定者の全体像も含む。また、測定値の決定前の画像は、静止画に限らず、動画であってもよい。この場合、測定場所に限らず、例えば被測定者の全体像に測定値を表示することができる。
【図面の簡単な説明】
【００１６】
【図１】実施形態の測定支援システムの全体構成を示すブロック図である。
【図２】（Ａ）は、図１の測定支援システムを構成する測定支援装置のうち電子メジャーを模式的に示す図であり、（Ｂ）は、測定支援装置を測定者が装着した状態を模式的に示す図である。
【図３】図１等に示す測定支援装置の表示部を通して視認できる虚像画面及び実像の一例を示す図である。
【図４】図１等に示す測定支援システムによる処理を説明するためのフローチャートである。
【図５】測定支援情報としての測定場所の具体例を示す図である。
【発明を実施するための形態】
【００１７】
以下、図面を参照しつつ、本発明に係る実施形態の測定支援システムについて説明する。本実施形態では、電子メジャー３０を用いて被測定者の体の部位を測定する作業を支援する測定支援システム１００を例示している。
【００１８】
図１は、本実施形態の測定支援システム１００の全体構成を説明するブロック図である。図１に示すように、測定支援システム１００は、測定支援装置１０と、サーバー装置２０とを備える。測定支援装置１０は、図２（Ｂ）に示すように、測定作業を行う測定者２００が装着して使用する。測定支援システム１００のうち測定支援装置１０は、電子メジャー３０と、ヘッドマウントディスプレイ本体（ＨＭＤ）４０とを有する。
【００１９】
図１及び図２（Ａ）に示すように、電子メジャー３０は、電子メジャー本体３１と、測定決定部３２とを有する。なお、測定決定部３２は、電子メジャー３０内に具備せず、別のデバイスとしてもよい。
【００２０】
図２（Ａ）に示すように、電子メジャー本体３１は、距離に関する測定を行うものであり、巻尺３１ａと、筐体３１ｂと、測定撮像部３１ｃと、測定通信部３１ｄと、測定制御部３１ｅとを有する。巻尺３１ａは、筐体３１ｂ内に巻き取られて収納されており、被測定対象の寸法に応じて外部に引き出す長さを調整できる。巻尺３１ａは、目盛りが記載された帯状の部材であり、被測定対象に沿うように当てることでその輪郭に沿った測定が可能となっている。測定撮像部３１ｃは、筐体３１ｂ内において巻尺３１ａの引き出し口である開口部ＯＰ付近に設けられており、筐体３１ｂから引き出された分（具体的には、開口部ＯＰ付近）の巻尺３１ａの目盛りを撮像する。測定通信部３１ｄは、有線又は無線により、測定値のデータをＨＭＤ４０やサーバー装置２０に送信する。測定通信部３１ｄは、例えばＬＡＮカード等の通信制御カードで構成される。測定制御部３１ｅは、測定通信部３１ｄを介して、測定データである測定値の送信を行う。測定制御部３１ｅは、後述する測定決定部３２の操作に応じて、測定撮像部３１ｃの動作を制御する。具体的には、巻尺３１ａを引き出して被測定対象である被測定者の測定場所にあてがい、測定決定部３２のスイッチが押された場合、測定撮像部３１ｃを動作させて測定した目盛を画像として撮像する。測定制御部３１ｅは、撮像画像内にある目盛から測定値を読み取り、当該測定値をＨＭＤ４０又はサーバー装置２０に送信する。なお、測定撮像部３１ｃは、測定の最中、すなわち測定値の決定前後にも動作させてもよい。この場合、リアルタイムに測定値を送信することができる。
【００２１】
測定決定部３２は、操作入力する部分であり、被測定者の体の測定場所における電子メジャー３０の測定値を決定する。測定決定部３２としては、例えばメカニカルスイッチ、静電容量スイッチ、音声スイッチ、及びジェスチャースイッチ等を挙げることができる。これらのスイッチを利用することで、両手を使って効率良く測定作業を行うことができる。図２（Ａ）では、測定決定部３２がメカニカルスイッチである例を挙げており、測定決定部３２を構成するスイッチを押した場合、測定制御部３１ｅが測定値が決定したと判断し、撮像画像から測定値を読み取る。
【００２２】
ヘッドマウントディスプレイ本体（ＨＭＤ）４０は、表示部４１と、表示撮像部４２と、表示記憶部４３と、表示通信部４４と、表示制御部４５とを有する。図２（Ｂ）に示すように、ＨＭＤ４０のうち表示部４１は、眼鏡型となっている。表示部４１は、表示に際して外光の透視を可能にする光透過性を有する透過型（シースルータイプ）の光学部材を有し、測定者２００の片目（図２の例では、右目ＲＲ）側の光学部材から虚像表示を行うようになっている。表示部４１は、被測定者３００（図３参照）の体の測定を支援する測定支援情報である作業指示の内容や、電子メジャー３０によって得られる測定値等を虚像として表示する。光透過性の表示部４１により、測定者２００の視界を損なわずに、ＨＭＤ４０に測定値等を表示しつつ測定作業を行うことができる。表示部４１に表示される作業指示の内容や測定値の表示サイズは、測定者２００が表示制御部４５に付随する手元操作部（不図示）を操作することにより適宜調整することができる。図３に具体的に示すように、表示部４１は、例えば、サーバー装置２０から受信された作業指示等の測定支援情報４１ａ、電子メジャー３０の測定値４１ｂ、表示撮像部４２で取得した撮像画像４１ｃ等を虚像の画面で表示する。なお、表示部４１は、両目、すなわち右目ＲＲ及び左目ＬＲに対向する光学部材から虚像表示を行うものであってもよい。
【００２３】
表示撮像部４２は、測定時の測定場所や、測定作業を撮像する。表示撮像部４２としては、例えばＣＣＤカメラを用いることができる。表示撮像部４２は、例えば円筒状のレンズ鏡筒やＣＣＤデバイス（不図示）を有する。表示撮像部４２は、表示部４１の右目ＲＲ側のフレームに支持されている。表示撮像部４２は、表示部４１に固定する構成としても、着脱可能な構成としてもよい。
【００２４】
図３に示すように、測定時の測定場所や測定作業を表示撮像部４２で撮像しながら、表示部４１の光学部材を通じて、測定者２００の前方に表示される虚像画面と、光学部材を透過する被測定者３００の測定場所の実像とを一度に肉眼で視認することができる。測定場所や測定作業の撮像画像は、測定値と同様に、測定決定時のみ表示してもよいし、リアルタイムに表示してもよい。撮像画像をリアルタイムに表示すれば、保存する画像に不具合が存在しないか確認することができる。
【００２５】
以上のように、表示撮像部４２によって取得される撮像画像は、測定値の決定前からの画像を含んでいる。ここで、測定値の決定前の画像とは、決定前の画像全般であり、測定時の画像よりも広い視野の画像や被測定者３００の全体像も含む。また、測定値の決定前の画像は、静止画に限らず、動画であってもよい。これにより、測定場所に限らず、例えば被測定者３００の全体像に測定値を表示することができる。
【００２６】
表示記憶部４３は、表示通信部４４を介して、電子メジャー３０やサーバー装置２０から受信した測定データや測定支援情報等のデータを保存する。
【００２７】
表示通信部４４は、無線ＬＡＮにより電子メジャー３０やサーバー装置２０との無線通信を行う構成となっている。なお、表示通信部４４は、電子メジャー３０やサーバー装置２０との有線通信を行う構成とすることもできる。
【００２８】
表示制御部４５は、ＣＰＵ（Central  Processing  Unit）４５ａと、ＲＯＭ（Read  Only  Memory）４５ｂと、ＲＡＭ（Random  Access  Memory）４５ｃとを有する。ＣＰＵ４５ａは、ＲＯＭ４５ｂから処理内容に応じたプログラムを読み出してＲＡＭ４５ｃに展開し、展開したプログラムと協働して測定支援装置１０の各部の動作を制御する。この際、表示記憶部４３に格納されている各種データが参照される。表示制御部４５は、電子メジャー３０で取得した測定値と、当該測定値に対応する測定場所とをリンクさせ、測定データとして表示記憶部４３に一時保存する。表示記憶部４３は、例えば不揮発性の半導体メモリ（いわゆるフラッシュメモリ）や、ハードディスクで構成される。表示制御部４５は、例えば電子メジャー３０やサーバー装置２０から送信された各種データを受信し、当該受信データを虚像で表示するように表示部４１を制御する。また、表示制御部４５は、当該受信データに基づいて表示記憶部４３のデータの更新等を行う。また、表示制御部４５は、表示撮像部４２で撮像されたデータや電子メジャー３０による測定結果等を送信するための処理を行う。
【００２９】
表示記憶部４３、表示通信部４４、及び表示制御部４５は、図２（Ｂ）の例では、同一の筐体４６内に内蔵されているが、別々の場所に設けてもよく、例えば表示部４１及び表示撮像部４２側に設けてもよい。また、筐体４６と表示部４１及び表示撮像部４２とは有線又は無線で通信可能となっている。筐体４６は、測定者２００が身につけても身につけなくてもよい。
【００３０】
サーバー装置２０は、測定支援装置１０と協働して動作する。サーバー装置２０は、例えば測定支援装置１０と同一の敷地内に設置されたコンピューターであり、データベース２１と、サーバー通信部２２と、操作表示部２３と、サーバー制御部２４とを有する。
【００３１】
データベース２１は、記憶部であり、被測定者３００の測定データの集まりがハードディスク等の記憶媒体に格納される。データベース２１は、サーバー通信部２２を介して、電子メジャー３０やＨＭＤ４０から受信した測定データを保存する。測定データは、測定場所の画像と、当該測定場所に対応する測定値とを組み合わせたものである。データベース２１に測定データを保存することにより、保存効率を上げることができる。また、データベース２１には、各種測定の手順を含む測定支援情報も保存されている。測定支援情報は、測定者の作業負担を軽減するためのものであり、測定する順番を含む作業指示に関する情報で構成されている。作業指示は、測定場所の名称を文字で順番に表示するものでもよいし、人体の画像とともに測定場所を順に表示するものでもよい。測定支援情報に基づき、ＨＭＤ４０に作業指示を表示することにより、測定忘れ等がなくなり、測定に不慣れな測定者でも一定の測定作業をすることができる。
【００３２】
サーバー通信部２２は、無線ＬＡＮにより電子メジャー３０やＨＭＤ４０との無線通信を行う構成となっている。なお、サーバー通信部２２は、電子メジャー３０やＨＭＤ４０との有線通信を行う構成とすることもできる。
【００３３】
操作表示部２３は、被測定者３００の体の部位のうちどの部分を測定するか指示する操作、つまり測定支援情報の設定を行うことができる。測定支援情報は、予め設定されたデータを選択してもよいし、測定毎に選択又は指定してもよい。また、操作表示部２３では、取得した測定データを参照することができる。
【００３４】
サーバー制御部２４は、データベース２１、操作表示部２３等の動作を制御する。サーバー制御部２４は、サーバー通信部２２を介して、電子メジャー３０やＨＭＤ４０に測定データや測定支援情報を送受信してデータベース２１に格納したり読み出したりする。
【００３５】
以下、図４を参照しつつ、測定支援システム１００の動作例を説明する。
【００３６】
まず、被測定者３００の測定場所をＨＭＤ４０の表示部４１に表示する（ステップＳ１１）。具体的には、測定者２００又は不図示のオペレーターがサーバー装置２０の操作表示部２３を操作して特定の測定支援情報を選択し、サーバー制御部２４の制御下でデータベース２１から該当する測定支援情報を読み出す。読み出した測定支援情報は、サーバー通信部２２及び表示通信部４４を介して、表示制御部４５の制御下でＨＭＤ４０の表示部４１に表示される。なお、測定支援情報を表示記憶部４３に一時保存し、表示制御部４５により表示記憶部４３から測定支援情報を読み出してもよい。例えば、図３に示すように、表示部４１には、測定支援情報４１ａとして被測定者３００の測定場所である「背肩幅」等の文字が表示される。測定場所の指定は、文字によるものに限らず、被測定者３００の輪郭に基づいて測定場所を実線や点線等で表示してもよい。図５に例示すように、測定支援情報４１ａとして人体の画像上に測定場所を番号と実線で示して、測定者２００が番号に従って測定してもよい。また、測定場所を１つずつ切り換えつつ示して、作業を進めさせてもよい。図５は回り寸法の測定例であり、人体の表側及び裏側の画像によって測定場所を示している。なお、幅寸法や丈寸法についても同様に測定場所を示すことができる。
【００３７】
次に、指定された測定場所を測定し（ステップＳ１２）、測定値を決定する（ステップＳ１３）。具体的には、測定者２００が測定支援情報４１ａで指定された測定場所に沿って電子メジャー本体３１の巻尺３１ａを当てる。その後、測定場所の終点に巻尺３１ａを当てた状態で、測定者２００が測定決定部３２のスイッチを押し、測定値を決定する。測定値のデータは、測定制御部３１ｅの制御下で測定撮像部３１ｃを動作させ随時取得することができる。測定値のデータは、測定通信部３１ｄ及び表示通信部４４を介して表示記憶部４３に一時保存される。また、測定に際し、被測定者３００の測定場所及びその周辺も、表示制御部４５の制御下で表示撮像部４２を動作させて随時取得されている。測定場所のデータも表示記憶部４３に一時保存される。図３に示す虚像画像において、測定値４１ｂや撮像画像は、リアルタイムに表示されてもよいし、決定時のデータが表示されてもよい。
【００３８】
次に、測定データを作成し（ステップＳ１４）、作成した測定データを保存する（ステップＳ１５）。具体的には、表示制御部４５は、表示記憶部４３から表示決定した測定値と、当該測定値に対応する測定場所とを読み出し、これらをリンクさせて測定データを作成する。このようにして得た測定データが測定の作業記録となる。測定データは、表示通信部４４及びサーバー通信部２２を介してサーバー装置２０のデータベース２１に保存される。
【００３９】
測定場所が他にある場合には（ステップＳ１６のＹ）、ステップＳ１１に戻り、次の測定データを取得する。測定場所がない場合には（ステップＳ１６のＮ）、測定を終了する。
【００４０】
以上説明した測定支援システム１００によれば、測定作業の測定値がＨＭＤ４０に表示されることにより、測定者２００が細かい目盛りを見ることから解放される。また、ＨＭＤ４０を利用することにより、両手を使用することができ、また、測定場所から視線を外さず測定することができる。また、決定した測定値とともに、その測定場所が撮像されることで適切な作業記録を残すことができる。以上のことにより、測定時の作業効率が上がり、延いては被測定者３００の拘束時間を減らすことができる。つまり、測定者２００の測定作業を支援することにより、被測定者３００の負担を軽減することができる。
【００４１】
具体的には、スーツやコート等の仕立ての際の測定作業において、回り寸法、幅寸法、丈寸法等の測定箇所の数１０か所以上の測定時間を短縮することで、被測定者３００の負担を軽減することができる。また、測定支援システム１００の測定支援装置１０一式を貸し出し、オペレーターが遠隔から作業支援することで、個人の正確な測定情報を家にいながら確認することができる。また、その情報をアパレルサイトに登録することにより、インターネットで服を注文する際等、サイズが合うか合わないか等のサービスや、インターネット上からオーダーメードスーツを発注できるサービス等を行うことができる。
【００４２】
以上、実施形態の測定支援システム１００について説明したが、本発明に係る測定支援システム１００は、上記のものに限られない。例えば電子メジャー本体３１は、巻尺３１ａを用いたものに限らず、レーザーによる測距を用いたものでもよい。
【００４３】
また、上記実施形態において、測定値や測定場所の撮像画像を保存する記憶部は、ＨＭＤ４０の表示記憶部４３及びサーバー装置２０のデータベース２１の少なくとも一方であってもよい。また、表示記憶部４３での保存は一時保存でなく、データをそのまま保存してもよい。また、測定データの作成をサーバー装置２０で行ってもよい。
【００４４】
また、上記実施形態において、サーバー装置２０を設けなくてもよい。この場合、測定支援情報や測定データは、ＨＭＤ４０の表示記憶部４３に保存される。
【００４５】
また、上記実施形態において、測定支援情報を用いず、測定者の判断で測定を行ってもよい。
【００４６】
また、上記実施形態において、測定対象は人体に限らず、物等であってもよい。
【符号の説明】
【００４７】
１０…測定支援装置、  ２０…サーバー装置、  ２１…データベース、  ２２…サーバー通信部、  ２３…操作表示部、  ２４…サーバー制御部、  ３０…電子メジャー、  ３１…電子メジャー本体、  ３１ａ…巻尺、  ３１ｂ…筐体、  ３１ｃ…測定撮像部、  ３１ｄ…測定通信部、  ３１ｅ…測定制御部、  ３２…測定決定部、  ４０…ヘッドマウントディスプレイ本体、  ４１…表示部、  ４１ａ…測定支援情報、  ４１ｂ…測定値、  ４１ｃ…撮像画像、  ４２…表示撮像部、  ４３…表示記憶部、  ４４…表示通信部、  ４５…表示制御部、  １００…測定支援システム、  ２００…測定者、  ３００…被測定者、  ＯＰ…開口部
【図１】
2019045285.tif 000003
【図２】
2019045285.tif 000004
【図３】
2019045285.tif 000005
【図４】
2019045285.tif 000006
【図５】
2019045285.tif 000007